(57)【要約】【課題】簡便な構成で、電子機器本体の熱をアクセサリー装置へ効率良く伝達することが可能な電子機器を提供する。【解決手段】アクセサリーユニットを着脱可能な撮像装置を設ける。撮像装置は、カメラ本体の外観を成すリアケース１０２と、カメラ本体に設けられた、アクセサリーユニットが係合する取付け座１０３と開口部１１１とを備える。アクセサリーユニットがカメラ本体に装着された状態において、カメラ本体の内部の熱が、取付け座１０３と開口部１１１のそれぞれを介して、アクセサリーユニットが備えるクリッププレート１１４に伝達される。【選択図】図１
2017083552.tif 000002
【特許請求の範囲】
【請求項１】
アクセサリー装置を着脱可能な電子機器であって、
電子機器本体の外観を成す外装部材と、
前記電子機器本体に設けられた、前記アクセサリー装置が係合する第１の被係合部と第２の被係合部とを備え、
前記アクセサリー装置が前記電子機器本体に装着された状態において、前記電子機器本体の内部の熱が、前記第１の被係合部と前記第２の被係合部のそれぞれを介して、前記アクセサリー装置が備える伝熱部材に伝達される
ことを特徴とする電子機器。
【請求項２】
前記第１の被係合部には、前記アクセサリー装置が備える取付けネジが係合する雌ネジ形状部が形成されており、
前記第１の被係合部は、前記雌ネジ形状部に前記取付けネジが係合した状態において、前記伝熱部材に接触する
ことを特徴とする請求項１に記載の電子機器。
【請求項３】
前記電子機器本体の内部に、電子基板と、第１のシャーシ部材とが配置されており、
前記第１のシャーシ部材は、前記第１の被係合部に接触しており、
前記電子基板の熱が、前記第１のシャーシ部材を介して前記第１の被係合部に伝達される
ことを特徴とする請求項１または請求項２に記載の電子機器。
【請求項４】
前記第２の被係合部には、前記伝熱部材に形成された係止爪部材が挿入される開口部が形成されており、
前記係止爪部材は、前記開口部に挿入された状態において、前記開口部の内部において、前記外装部材と接触する
ことを特徴とする請求項１乃至３のいずれか１項に記載の電子機器。
【請求項５】
前記電子機器本体は、
カメラユニットと、
前記カメラユニットと連結し、前記カメラユニットへ電源を供給する電池ユニットとを有し、
前記第２の被係合部に形成された前記開口部は、前記連結された前記カメラユニットと前記電池ユニットのそれぞれに形成された切り欠き形状部によって形成される
ことを特徴とする請求項４に記載の電子機器。
【請求項６】
前記電子機器本体の内部に、第２のシャーシ部材が配置されており、
前記第２のシャーシ部材は、前記外装部材に接触しており、
前記電子基板の熱が、前記第２のシャーシ部材と、前記第２の被係合部に形成された開口部の内部において前記外装部材と接触する前記係止爪部材とを介して、前記伝熱部材に伝達される
ことを特徴とする請求項４または請求項５に記載の電子機器。
【請求項７】
請求項１乃至６のいずれか１項に記載の電子機器として機能する撮像装置。
【請求項８】
電子機器に着脱可能なアクセサリー装置であって、
電子機器本体に対して固定されるベース部と、
前記電子機器本体が備える第１の被係合部に係合する第１の係合部と、
前記電子機器本体が備える第２の被係合部に係合する第２の係合部と、
前記第１の係合部と前記第２の係合部のそれぞれを介して伝達される前記電子機器本体の内部の熱を伝達する伝熱部材と、
前記伝熱部材から伝達された熱を放熱する放熱部材とを備える
ことを特徴とするアクセサリー装置。
【請求項９】
前記第１の係合部は、前記電子機器本体が備える前記第１の被係合部に形成された雌ネジ形状部に係合する取付けネジを備え、
前記ベース部には、前記取付けネジの近傍にＵ字状の切り欠き部が形成されている
ことを特徴とする請求項８に記載のアクセサリー装置。
【請求項１０】
前記第２の係合部は、前記伝熱部材に形成された係止爪部材を有し、
前記係止爪部材は、前記電子機器本体が備える前記第２の被係合部に形成された開口部に挿入される
ことを特徴とする請求項８または請求項９に記載のアクセサリー装置。
【請求項１１】
前記ベース部は、コの字形状を成す上面、側面および底面を有し、
前記伝熱部材は、前記ベース部の内側に形成され、
前記第１の係合部は、前記底面に配置され、
前記第２の係合部は、前記上面に配置される
ことを特徴とする請求項８乃至１０のいずれか１項に記載のアクセサリー装置。
【発明の詳細な説明】
【技術分野】
【０００１】
本発明は、電子機器、撮像装置およびアクセサリー装置に関する。
【背景技術】
【０００２】
撮像装置などの電子機器の小型化・高機能化に伴い、電子機器内部の発熱による画像劣化等の弊害を防止することが必要である。したがって、電子機器本体にアクセサリーユニット（アクセサリー装置）を装着した際に、電子機器本体の熱をアクセサリーユニットへと伝達する伝熱機構を備える電子機器が提案されている。
【０００３】
特許文献１は、撮像素子の熱をヒートパイプを用いて電池ケース内へと伝達し、本体に装着可能な外部電源装置の装着時に、電池ケース内の熱を外部電源装置へと伝達し、冷却装置により放熱を行う電子カメラを開示している。
【先行技術文献】
【特許文献】
【０００４】
【特許文献１】特開２００３−４６８２８号公報
【発明の概要】
【発明が解決しようとする課題】
【０００５】
特許文献１が開示する電子カメラでは、撮像素子からの熱を伝達するために、ヒートパイプを使用したり、放熱のためにファンなどの冷却装置を用いたりするので、装置が大型化し、複雑な構成となる。また、カメラ内部から外部電源装置へと熱を伝える経路が、電池ケースの１箇所のみであり、内部の熱を効率的に伝えることが困難である。
【０００６】
本発明は、簡便な構成で、電子機器本体の熱をアクセサリー装置へ効率良く伝達することが可能な電子機器の提供を目的とする。
【課題を解決するための手段】
【０００７】
本発明の一実施形態の電子機器は、アクセサリー装置を着脱可能な電子機器であって、電子機器本体の外観を成す外装部材と、前記電子機器本体に設けられた、前記アクセサリー装置が係合する第１の被係合部と第２の被係合部とを備える。前記アクセサリー装置が前記電子機器本体に装着された状態において、前記電子機器本体の内部の熱が、前記第１の被係合部と前記第２の被係合部のそれぞれを介して、前記アクセサリー装置が備える伝熱部材に伝達される。
【発明の効果】
【０００８】
本発明の電子機器によれば、簡便な構成で、電子機器本体の熱をアクセサリー装置へ効率良く伝達することが可能となる。
【図面の簡単な説明】
【０００９】
【図１】本実施形態の電子機器の構成例を示す図である。
【図２】カメラユニットとバッテリーユニットの構成例を説明する図である。
【図３】カメラユニットとバッテリーユニットとが連結された状態のカメラ本体を示す図である。
【図４】カメラ本体に対して装着されたアクセサリーユニットを示す図である。
【図５】アクセサリーユニットの構成を示す図である。
【図６】カメラ本体の上面側を示す図である。
【図７】カメラ本体とアクセサリーユニットの内部構成を示す図である。
【図８】カメラ本体内部の熱をアクセサリーユニットへと伝達する第２の機構を説明する図である。
【発明を実施するための形態】
【００１０】
図１は、本実施形態の電子機器の構成例を示す図である。
図１では、電子機器として撮像装置を例にとってその構成を説明する。図１に示す撮像装置は、カメラユニットとバッテリーユニット（電池ユニット）とで構成されるカメラ本体（電子機器本体）を備える。カメラ本体は、アクセサリー装置として機能するアクセサリーユニットを着脱可能である。カメラ本体自体を本発明の電子機器としてもよいし、カメラ本体と、カメラ本体に装着された状態のアクセサリー装置とで構成される一つの装置を本発明の電子機器としてもよい。
【００１１】
カメラユニットは、フロントケース１０１、リアケース１０２、取付座１０３、電子基板１０４、熱伝導シート１０５、１０６、メインシャーシ１０７、サブシャーシ１０８を備える。
【００１２】
フロントケース１０１は、カメラ本体の前面を構成する。リアケース１０２は、カメラ本体の背面を構成する。フロントケース１０１がリアケース１０２に固定されることで、カメラ本体の外観が形成される。すなわち、フロントケース１０１とリアケースとは、カメラ本体の外観を成す外装部材として機能する。
【００１３】
カメラユニット内部には、電子基板１０４が固定されている。電子基板１０４の前面側には、板金材料で形成される第１のシャーシ部材であるメインシャーシ１０７が配置され、リアケース１０２に対して不図示のビスによって締結されている。電子基板１０４とリアケース１０２との間には、板金材料で形成されたサブシャーシ１０８が配置されている。電子基板１０４とメインシャーシ１０７との間には、熱伝導シート１０６が配置されている。熱伝導シート１０６は、電子基板１０４上の素子からの熱を、メインシャーシ１０７に伝達する。電子基板１０４と第２のシャーシ部材であるサブシャーシ１０８との間には、熱伝導シート１０５が配置されている。熱伝導シート１０５は、電子基板１０４の熱をサブシャーシ１０８に伝達する。
【００１４】
リアケース１０２の底面には、カメラ本体を三脚等に固定するための取付座１０３が配置されている。本実施例においては、取付け座１０３は、ダイキャスト材料によって形成され、インサート成型によってリアケース１０２に固定されている。
【００１５】
バッテリーユニットは、バッテリー１０９、バッテリーフロントケース１１０、バッテリーリアケース１１１を備える。バッテリー１０９は、カメラ本体への電源を供給する。バッテリーフロントケース１１０は、バッテリーユニットの前面を構成する。バッテリーリアケース１１１は、バッテリーユニットの背面を構成する。すなわち、バッテリーフロントケース１１０とバッテリーリアケース１１１とが、バッテリーユニットの外装部材である。
【００１６】
アクセサリーユニットは、クリップベース１１２、取付けネジ１１３、クリッププレート１１４、クリップパネル１１５、シャフト１１６、回転バネ１１７、クリップレバー１１８、Ｅリング１１９を備える。
【００１７】
クリップベース１１２は、アクセサリーユニットのベース部を形成する。クリップベース１１２は、コの字形状を成す上面、側面および底面を有する。取付けネジ１１３は、クリップベースの底面に配置され、アクセサリーユニットをカメラ本体へ固定する。クリッププレート１１４は、板金部材で形成され、クリップベース１１２の内側に固定される。クリップパネル１１５は、アルミダイキャストで形成される。シャフト１１６は、回転バネ１１７によってクリップレバー１１８が回転付勢された状態で保持される。Ｅリング１１９は、シャフト１１６のスラスト方向への抜け止めを行う。
【００１８】
図２は、カメラユニットとバッテリーユニットの構成例を説明する図である。
図２（Ａ）は、カメラユニットの背面側すなわちリアケース１０２の背面側を示す。図２（Ｂ）は、バッテリーユニットの正面側すなわちバッテリーフロントケース１１０の前面側を示す。
【００１９】
図２（Ａ）に示すように、リアケース１０２の背面には、バッテリーユニットをカメラユニットへと連結するためのバヨネット形状１０２ａが形成されている。また、バヨネット形状１０２ａの内部には、電源供給のためのコンタクトピン１２０が配置されている。また、図２（Ｂ）に示すように、バッテリーフロントケース１１０の前面側にも、バヨネット形状１１０ａが形成されている。バヨネット形状１１０ａをリアケース１０２のバヨネット形状１０２ａに対して所定角度回転させることによって、バッテリーユニットがカメラユニットに係合する。電気接点部１２１は、バッテリー１０９からの電源をカメラユニットに供給する。電気接点部１２１は、ユニット係合時に、コンタクトピン１２０と接触して電源供給を行う。
【００２０】
図３は、カメラユニットとバッテリーユニットとが連結された状態のカメラ本体を示す図である。
図３（Ａ）はカメラ本体の正面側を示す。図３（Ｂ）は、図３（Ａ）のＡ−Ａ断面を示す。カメラ前面側のカメラユニット内には、電子基板１０４が配置されており、電子基板１０４の下方に、取付け座１０３が固定されている。取付け座１０３は、亜鉛ダイキャスト等の金属材料で形成され、内側には雌ネジ形状１０３ａが切られて雌ネジ形状部が形成されている。アクセサリーユニットに設けられた第１の係合部である取付けネジ１１３は、この雌ネジ形状部に係合する。すなわち、取付け座１０３は、アクセサリーユニットが係合する第１の被係合部として機能する。
【００２１】
バッテリー１０９を内包するバッテリーユニットにおいては、前面側のバッテリーフロントケース１１０のバヨネット形状１１０ａが、リアケース１０２のバヨネット形状１０２ａに対して係合している。この状態において、カメラユニットのフロントケース１０１とバッテリーユニットのバッテリーリアケース１１１によってカメラ本体の外観面が形成される。
【００２２】
図４は、カメラ本体に対して装着されたアクセサリーユニットを示す図である。
アクセサリーユニットが備えるクリップベース１１２が、カメラ本体に対して固定される。クリップレバー１１８は、クリップパネル１１５に対して、シャフト１１６を中心に回転可能であり、回転バネ１１７によってクリップレバー１１８が固定される対象物を把持するように回転付勢されている。
【００２３】
図５は、アクセサリーユニットの構成を示す図である。
クリップベース１１２の内側に配置されたクリッププレート１１４に、フック部１１４ａが２か所形成されている。フック部１１４ａは、クリップベース１１２の上面に配置される。フック部１１４ａは、カメラ本体上部に係合するための係止爪部材（第２の係合部）である。クリッププレート１１４は、締結ネジ１２２によってクリップパネル１１５へと固定されている。クリップベース１１２の取付けネジ１１３の近傍には、Ｕ字状の切り欠き部１１２ａが形成されている。したがって、クリップベース１１２は、カメラ本体に対して装着する際に、切り欠き部１１２ａの近傍で弾性変形が可能である。
【００２４】
図６は、カメラ本体の上面側を示す図である。
カメラユニットとバッテリーユニットが係合した状態で、上面に開口部１２５が、２か所形成されている。開口部１２５は、カメラユニットとバッテリーユニットのそれぞれに設けられた切り欠き形状部によって形成される。アクセサリーユニット装着時には、開口部１２５に対してクリッププレート１１４のフック部１１４ａが挿入されて係合する。すなわち、開口部１２５は、アクセサリーユニットが係合する第２の被係合部として機能する。
【００２５】
図７は、カメラ本体とアクセサリーユニットの内部構成を示す図である。
図７（Ａ）は、カメラ本体にアクセサリーユニットを装着し、アクセサリーユニットのクリップレバー１１８が固定体１２４を把持した状態での断面を示す。図７（Ａ）において、アクセサリーユニットが備えるクリッププレート１１４のフック部１１４ａが、カメラユニットのリアケース１０２の背面側に対して接触した状態となる。
【００２６】
また、図７（Ｂ）に示すように、カメラ底面側において、取付けネジ１１３が、アクセサリーユニットのクリップベース１１２を挟んだ状態で取付け座１０３に係合する。この時、クリッププレート１１４の一部は、取付け座１０３の外観面に対して接触した状態となる。
【００２７】
カメラ本体に装着されたアクセサリーユニットは、クリップレバー１１８をつまむ動作によって、固定体１２４からの取り外しが可能である。これにより、容易にカメラの固定体１２４への着脱が可能となる。
【００２８】
次に、カメラ本体内部の熱をアクセサリーユニットへと伝達する第１の機構について説明する。図１および図３（Ｂ）に示すように、カメラユニット内部において、電子基板１０４上の素子による発熱は熱伝導シート１０６を介してメインシャーシ１０７へと伝えられる。メインシャーシ１０７は、取付け座１０３に対して接触しているので、メインシャーシ１０７の熱は、取付け座１０３へと伝達される。
【００２９】
図７に示すように、アクセサリーユニットをカメラ本体に装着した状態つまり取付けネジ１１３が取付け座１０３の雌ネジ形状部に係合した状態において、クリッププレート１１４が、取付け座１０３に接触する。したがって、取付け座１０３からクリッププレート１１４へと熱伝達される。前述のように、クリッププレート１１４はクリップパネル１１５に対して接触した状態で固定されているので、最終的にはクリップパネル１１５へと熱が伝達される。
【００３０】
図８は、カメラ本体内部の熱をアクセサリーユニットへと伝達する第２の機構を説明する図である。
電子基板１０４で発生した熱は、メインシャーシ１０７とは反対側の面において、熱伝導シート１０５を介してサブシャーシ１０８へ伝達される。サブシャーシ１０８は、締結ビス１２３によってリアケース１０２に対して接触した状態で固定されるので、サブシャーシの熱は、リアケース１０２へと伝達される。
【００３１】
図７（Ａ）に示すように、アクセサリーユニットが備えるクリッププレート１１４のフック部１１４ａが、カメラ上面側の開口部１２５の内部において、リアケース１０２の外観に接触している。したがって、リアケース１０２の熱は、フック部１１４ａを介してクリッププレート１１４に伝達される。前述の取付け座１０３から伝えられた熱と同様に、クリッププレート１１４の熱が、放熱部材であるクリップパネル１１５へと伝達される。クリップパネルは、アルミダイキャスト等の金属で形成されており、背面側において外観面を形成する箇所において放熱を行う。
【００３２】
すなわち、アクセサリーユニットがカメラ本体に装着された状態において、カメラ本体の内部の熱が、取付け座１０３と、カメラ上面側の開口部１２５のそれぞれを介して、アクセサリーユニットが備える伝熱部材であるクリップパネル１１５に伝達される。
【００３３】
本実施形態では、アクセサリーユニット取付けのフック部１１４ａをカメラ上面側に配置したが、この構成に限定することなく、リアケース１０２のバヨネット形状１０２ａの外側において、側面や上面、下面などの範囲に配置することが可能である。
【００３４】
本実施形態の電子機器によれば、電子機器本体内部の電子基板１０４の素子で発生した熱を電子基板１０４の素子側および裏面側の両方から、伝達部材を介して、アクセサリーユニットへと効率的に伝えて放熱することが可能となる。本実施形態の電子機器は、カメラ内部の熱をアクセサリーユニットへと伝達するために、ヒートパイプのような複雑な部品の追加を必要としないので、本体の省スペース化・小型化が可能となる。また、熱伝達の経路が１か所のみでなく複数設けられているので、効率的にアクセサリーユニットへと熱を伝達することが可能となる。
【符号の説明】
【００３５】
１０２  リアケース
１０３  取付け座
１０４  電子基板
１１３  取付けネジ
１１４  クリッププレート
【図１】
2017083552.tif 000003
【図２】
2017083552.tif 000004
【図３】
2017083552.tif 000005
【図４】
2017083552.tif 000006
【図５】
2017083552.tif 000007
【図６】
2017083552.tif 000008
【図７】
2017083552.tif 000009
【図８】
2017083552.tif 000010